(57)【要約】【課題】外観上の見栄えを向上し、本体ケースの接合部分から本体ケース内に薬剤や水分のような液体が侵入するのを防ぐことができるシール部材およびシール部材を備える電子機器を提供する。【解決手段】電子機器の本体ケース２の接合部分の液密性能を確保するのに配置されるシール部材５００であって、断面コ字型を有し、本体ケース２の接合部分の内部に配置される第１部分５０１と、第１部分５０１とは間隔をおいて接合部分の内側に配置される第２部分５０２と、第１部分５０１と第２部分５０２を接続する接続部分５０３と、を備える。【選択図】図４
2013070879.tif 000002
【特許請求の範囲】
【請求項１】
電子機器の本体ケースの接合部分の液密性能を確保するのに配置されるシール部材であって、
断面コ字型を有し、前記本体ケースの前記接合部分の内部に配置される第１部分と、前記第１部分とは間隔をおいて前記接合部分の内側に配置される第２部分と、前記第１部分と前記第２部分を接続する接続部分とを備えることを特徴とするシール部材。
【請求項２】
前記シール部材の前記接続部分には、前記本体ケースの前記接合部分に形成されたはめ込み穴部に対してはめ込まれる突起部分が形成されていることを特徴とする請求項１に記載のシール部材。
【請求項３】
前記本体ケースは、フロントカバーと前記フロントカバーに前記接合部分で接合されるリアカバーとにより構成され、前記シール部材は、前記フロントカバーと前記リアカバーの前記接合部分に沿って配置されるエンドレス状の部材であることを特徴とする請求項１または請求項２に記載のシール部材。
【請求項４】
前記電子機器は医用ポンプであり、前記医用ポンプは、前記本体ケースに設けられ、薬剤バッグ内の薬剤を患者側に輸液する輸液チューブを横方向に装着するチューブ装着部と、前記本体ケースに設けられ、前記輸液チューブを前記横方向に装着した状態で、前記輸液チューブに蠕動運動をさせてしごくことで前記薬剤を送液するための送液駆動部と、閉じることで前記チューブ装着部と前記送液駆動部を覆う開閉カバーと、を有する輸液ポンプであることを特徴とする請求項１ないし３のいずれかに記載のシール部材。
【請求項５】
前記電子機器は医用ポンプであり、前記医用ポンプは、前記本体ケースに設けられ、シリンジ内の薬剤を患者側に輸液する輸液チューブを横方向に装着するシリンジの収容部と、前記本体ケースに設けられ、前記輸液チューブを前記横方向に装着した状態で、前記シリンジの押子を押して前記シリンジ内の前記薬剤を送液するシリンジ押子駆動部と、を有するシリンジポンプであることを特徴とする請求項１ないし３のいずれかに記載のシール部材。
【請求項６】
本体ケースの接合部分の液密性能を確保するのに配置されるシール部材を備える電子機器であって、
前記シール部材は、
断面コ字型を有し、前記本体ケースの前記接合部分の内部に配置される第１部分と、前記第１部分とは間隔をおいて前記接合部分の内側に配置される第２部分と、前記第１部分と前記第２部分を接続する接続部分と
を備えることを特徴とする電子機器。
【発明の詳細な説明】
【技術分野】
【０００１】
本発明は、例えば患者へ薬剤等を送液するためのシリンジポンプや輸液ポンプのような電子機器に装着されるシール部材およびシール部材を備える電子機器に関する。
【背景技術】
【０００２】
電子機器の一例であるシリンジポンプは、例えば集中治療室（ＩＣＵ）等で使用されて、患者に対して抗がん剤、麻酔剤、化学療法剤、輸血等、栄養剤等の薬剤の送液処置を、高い精度で比較的長時間行うことに用いられている。シリンジポンプの薬剤の流量制御は、他の輸液ポンプに比較して精密で優れている。
すなわち、薬剤を充填したシリンジ本体は、シリンジポンプに対してクランプを用いてシリンジポンプの本体ケースに対して動かないようにセットされ、シリンジポンプは、シリンジ押子を押圧してシリンジ本体内の薬剤を正確に患者側に送液するようになっている(特許文献１を参照)。
【先行技術文献】
【特許文献】
【０００３】
【特許文献１】特開２０１０−８８５６４号公報
【発明の概要】
【発明が解決しようとする課題】
【０００４】
ところで、シリンジポンプ等の医用ポンプは、薬剤を送液する際に薬剤や水分に晒される使用環境下、例えば治療室や手術室等で使用される。シリンジポンプの本体ケース内には、回路基板や液晶表示装置のような表示部等が収容されている。もし、薬剤や水分が本体ケースの接合部分の隙間を通じて本体ケース内に侵入してしまうと、これらの回路基板や表示部等が薬剤や水分により影響を受けてしまい、シリンジポンプの機能を発揮することができなくなってしまう。このため、この薬剤や水分が上述したシリンジポンプの本体ケース内に侵入するのを防ぐ必要がある。
このように本体ケース内に薬剤や水分が侵入しないようにするために、シリンジポンプの本体ケースの接続部分にはシール部材が配置されている。しかし、従来使用されているシール部材は厚みが大きく、このシール部材が本体ケースの外側に露出していることから、シール部材が見えてしまい、外観上の見栄えが悪い。
そこで、本発明は、外観上の見栄えを向上し、本体ケースの接合部分から本体ケース内に薬剤や水分のような液体が侵入するのを防ぐことができるシール部材およびシール部材を備える電子機器を提供することを目的とする。
【課題を解決するための手段】
【０００５】
本発明のシール部材は、電子機器の本体ケースの接合部分の液密性能を確保するのに配置されるシール部材であって、断面コ字型を有し、前記本体ケースの前記接合部分の内部に配置される第１部分と、前記第１部分とは間隔をおいて前記接合部分の内側に配置される第２部分と、前記第１部分と前記第２部分を接続する接続部分と、を備えることを特徴とする。
上記構成によれば、シール部材の第１部分が本体ケースの前記接合部分の内部に配置されるので、シール部材は本体ケースの外側からは全く見えず、外観上の見栄えを向上することができ、しかもシール部材は、本体ケースの接合部分から本体ケース内に薬剤や水分のような液体が侵入するのを防ぐことができる。
【０００６】
好ましくは、前記シール部材の前記接続部分には、前記本体ケースの前記接合部分に形成されたはめ込み穴部に対してはめ込まれる突起部分が形成されていることを特徴とする。
上記構成によれば、シール部材の接続部分の突起部分が、本体ケースの接合部分のはめ込み穴部にはめ込まれることにより、突起部分とはめ込み穴部のところで機械的に潰して液密性能を確保できるので、本体ケースの接合部分の厚みが薄くても、接合部分にクラックが入ったり、隙間が生じることを防いで、薬剤や水分のような液体の液密性能を確保できる。
【０００７】
好ましくは、前記本体ケースは、フロントカバーと前記フロントカバーに前記接合部分で接合されるリアカバーとにより構成され、前記シール部材は、前記フロントカバーと前記リアカバーの前記接合部分に沿って配置されるエンドレス状の部材であることを特徴とする。
上記構成によれば、フロントカバーとリアカバーの接合部分の全周囲にわたって、シール部材により本体ケース内に薬剤や水分のような液体が侵入するのを防ぐことができる。
【０００８】
好ましくは、前記電子機器は医用ポンプであり、前記医用ポンプは、前記本体ケースに設けられ、薬剤バッグ内の薬剤を患者側に輸液する輸液チューブを横方向に装着するチューブ装着部と、前記本体ケースに設けられ、前記輸液チューブを前記横方向に装着した状態で、前記輸液チューブに蠕動運動をさせてしごくことで前記薬剤を送液するための送液駆動部と、閉じることで前記チューブ装着部と前記送液駆動部を覆う開閉カバーと、
を有する輸液ポンプであることを特徴とする。
上記構成によれば、薬液や水分の使用環境下で使用される輸液ポンプであっても、シール部材の第１部分が本体ケースの前記接合部分の内部に配置されるので、シール部材は本体ケースの外側からは見えず、外観上の見栄えを向上することができ、しかもシール部材は、本体ケースの接合部分から本体ケース内に薬剤や水分のような液体が侵入するのを防ぐことができる。
【０００９】
好ましくは、前記電子機器は医用ポンプであり、前記医用ポンプは、前記本体ケースに設けられ、シリンジ内の薬剤を患者側に輸液する輸液チューブを横方向に装着するシリンジの収容部と、前記本体ケースに設けられ、前記輸液チューブを前記横方向に装着した状態で、前記シリンジの押子を押して前記シリンジ内の前記薬剤を送液するシリンジ押子駆動部と、を有するシリンジポンプであることを特徴とする。
上記構成によれば、薬液や水分の使用環境下で使用されるシリンジポンプであっても、シール部材の第１部分が本体ケースの前記接合部分の内部に配置されるので、シール部材は本体ケースの外側からは見えず、外観上の見栄えを向上することができ、しかもシール部材は、本体ケースの接合部分から本体ケース内に薬剤や水分のような液体が侵入するのを防ぐことができる。
【００１０】
本発明の電子機器は、本体ケースの接合部分の液密性能を確保するのに配置されるシール部材を備える電子機器であって、前記シール部材は、断面コ字型を有し、前記本体ケースの前記接合部分の内部に配置される第１部分と、前記第１部分とは間隔をおいて前記接合部分の内側に配置される第２部分と、前記第１部分と前記第２部分を接続する接続部分と、を備えることを特徴とする。
上記構成によれば、シール部材の第１部分が本体ケースの前記接合部分の内部に配置されるので、シール部材は本体ケースの外側からは全く見えず、外観上の見栄えを向上することができ、しかもシール部材は、本体ケースの接合部分から本体ケース内に薬剤や水分のような液体のような液体が侵入するのを防ぐことができる。
【発明の効果】
【００１１】
本発明は、シール部材の第１部分が本体ケースの前記接合部分の内部に配置されるので、シール部材は本体ケースの外側からは全く見えず、外観上の見栄えを向上することができ、しかもシール部材は、本体ケースの接合部分から本体ケース内に薬剤や水分のような液体が侵入するのを防ぐことができるシール部材およびシール部材を備える電子機器を提供することができる。
【図面の簡単な説明】
【００１２】
【図１】本発明の電子機器の一実施形態であるシリンジポンプを示す斜視図。
【図２】図１に示すシリンジポンプをＷ方向から見た斜視図。
【図３】シリンジポンプにおける電気な構成例を示す図。
【図４】シリンジポンプのフロントカバーとリアカバーと、防沫および防滴（防水）処理構造としてのシール部材の構造例を示す分解斜視図。
【図５】フロントカバーの接合部分である密閉対象部分とリアカバーの接合部分である密閉対象部分を、シール部材により液密状態に接合している状態の例を示す断面図。
【図６】本発明の電子機器の別の実施形態である輸液ポンプを示す斜視図。
【図７】図６に示す輸液ポンプをＷ方向から見た正面図。
【図８】輸液ポンプのフロントカバーとリアカバーと、防沫および防滴（防水）処理構造としてのシール部材の構造例を示す分解斜視図。
【図９】フロントカバーの接合部分である密閉対象部分とリアカバーの接合部分である密閉対象部分を、シール部材により液密状態に接合している状態の例を示す断面図。
【発明を実施するための形態】
【００１３】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
図１は、本発明のシール部材の好ましい実施形態を備える電子機器の例として、シリンジポンプを示す斜視図である。図２は、図１に示すシリンジポンプをＷ方向から見た斜視図である。
図１と図２に示すシリンジポンプ１は、医用機器の一例であり、例えば集中治療室等で使用され、患者に対して、抗がん剤、麻酔剤、化学療法剤、輸血等、栄養剤等の薬剤の注入処置を、高い精度で比較的長時間行うことに用いられる注入ポンプである。
【００１４】
図１と図２に示すように、シリンジポンプ１は、例えば薬剤を充填したシリンジ２００のシリンジ本体２０１を、クランプ５を用いて動かないようにセットすることができる。図２に示すモータ１３３が、シリンジ押子駆動部７の駆動軸を回転することで、シリンジ押子駆動部７のスライダ１０は、シリンジ２００のシリンジ押子２０２をＴ方向に押圧して、シリンジ本体２０１内の薬剤を、図２に示すようにチューブ２０３と留置針２０４を介して、患者Ｐに対して正確に送液するようになっている。
シリンジポンプ１は、本体あるいは筐体ともいう本体ケース２を有し、この本体ケース２は耐薬品性を有する成型樹脂材料により一体成型されており、第１ケース部分であるフロントカバー２Ｆと、第２ケース部分であるリアカバー２Ｒを接合して組み立てることにより、液密性能を有する箱体として構成されている。フロントカバー２Ｆは前筐体ともいい、リアカバー２Ｒは後筐体ともいう。これにより、後で説明するように、仮に薬剤や水分等がかかってもシリンジポンプ１の内部に侵入するのを防ぐことができる防沫および防滴（防水）処理構造を有している。
【００１５】
まず、シリンジポンプ１の本体ケース２に配置された各要素について説明する。
図２に示すように、シリンジポンプ１は、本体ケース２と取手２Ｔを有している。本体ケース２の上部分２Ａには、表示部３と、操作パネル部４が配置されている。本体ケース２の下部分２Ｂには、シリンジ設定部６と、モータ１３３とシリンジ押子駆動部７が配置されている。これにより、医療従事者は、本体ケース２の上部分２Ａの表示部３にカラー表示される情報内容を目視で確認しながら、シリンジ２００からの薬剤の送液作業を行うことができる。そして、医療従事者は、本体ケース２の表示部３にカラー表示される情報内容を確認しながら、操作パネル部４の操作ボタンを操作することができる。
【００１６】
図１と図２に示す表示部３は、カラーグラフィック表示することができるカラー液晶表示や有機ＥＬで構成される。この表示部３は、本体ケース２の上部分２Ａの左上位置であって、シリンジ設定部６とシリンジ押子駆動部７の上側に配置されている。操作パネル部４は、本体ケース２の上部分２Ａにおいて表示部３の右側に配置され、操作パネル部４には、操作ボタンとしては、図示例では、パイロットランプ４Ａ、早送りスイッチボタン４Ｂ、開始スイッチボタン４Ｃ、停止スイッチボタン４Ｄ、メニュー選択ボタン４Ｅ等が配置されている。
【００１７】
図２に示す本体ケース２の上部分２Ａは、本体ケース２の上半分の部分である。本体ケース２の下部分２Ｂは、本体ケース２の下半分の部分である。
図１と図２に示すように、シリンジ設定部６とシリンジ押子駆動部７は、Ｘ方向に沿って並べて配置されている。シリンジ設定部６は、複数種類の収容量の異なるシリンジの中から必要とする収容量のシリンジ２００を選択して装着することができる。
【００１８】
図１と図２に示すシリンジ設定部６は、シリンジ本体２０１を収容する収容部８と、クランプ５と、シリンジ２００の本体フランジ２０９をはめ込んで把持するための本体フランジ把持部４９６を有している。収容部８は、凹型のシリンジ本体保持部８Ｄを有している。収容部８の左側の端部の壁部分には、チューブ２０３を着脱可能に挟み込むためのチューブ固定部９が形成されている。このチューブ固定部９は、図２に示すようにチューブ２０３の一部を挟み込んで固定する溝部分である。
【００１９】
図１と図２において、医療従事者が、クランプ５を操作してシリンジ２００をシリンジ設定部６から取り外す際には、例えばクランプ５を図示しないスプリングの力に抗してＹ１方向（手前方向）に引っ張って、しかもＲ１方向に９０度回すことで、クランプ５はシリンジ本体２０１の外周面から離れる。これにより、シリンジ本体２０１は、クランプ５による固定を解除して、収容部８のシリンジ本体保持部８Ｄから取り出すとともに、チューブ２０３はチューブ固定部９内から取り外すことができる。
また、このクランプ５を操作してシリンジ２００をシリンジ設定部６の収容部８に収容して取り付ける際には、クランプ５を図示しないスプリングの力に抗してＹ１方向に引っ張ってＲ２方向に９０度回して、スプリングの力によりＹ２方向に戻すことで、シリンジ本体２０１は、収容部８のシリンジ本体保持部８Ｄ内に収容するとともに、チューブ２０３をチューブ固定部９内にはめ込んだ状態で、クランプ５により固定することができる。
【００２０】
図１と図２に示すように、シリンジ本体２０１が収容部８のシリンジ本体保持部８Ｄ内に収容して装着されると、シリンジ押子２０２がシリンジ押子駆動部７内に配置される。このシリンジ押子駆動部７は、スライダ１０を有している。制御部からの指令によりモータ１３３が駆動すると、このスライダ１０は、シリンジ押子２０２の押子フランジ２０５を、シリンジ本体２０１に対して相対的にＴ方向に沿って少しずつ押す。これにより、シリンジ本体２０１内の薬剤は、チューブ２０３と留置針２０４を通じて、患者Ｐに対して高い精度で比較的長時間かけて送液することができる。なお、図１と図２におけるＸ方向、Ｙ方向、Ｚ方向は互いに直交しており、Ｚ方向は上下方向である。
【００２１】
次に、図３を参照して、図１と図２に示すシリンジポンプ１における電気な構成例を説明する。
図３において、シリンジポンプ１は、全体的な動作の制御を行う制御部（コンピュータ）１００を有している。この制御部１００は、例えばワンチップのマイクロコンピュータであり、ＲＯＭ（読み出し専用メモリ）１０１，ＲＡＭ（ランダムアクセスメモリ）１０２、不揮発性メモリ１０３、そしてクロック１０４を有する。クロック１０４は、所定の操作により現在時刻の修正ができ、現在時刻の取得や、所定の送液作業の経過時間の計測、送液の速度制御の基準時間の計測等ができる。
【００２２】
図３に示す制御部１００は、電源スイッチボタン４Ｓと、スイッチ１１１が接続されている。スイッチ１１１は、電源コンバータ部１１２と例えばリチウムイオン電池のようなバッテリ１１３を切り換えることで、電源コンバータ部１１２とバッテリ１１３のいずれかから制御部１００に電源供給する。電源コンバータ部１１２は、コンセント１１４を介して商用交流電源１１５に接続されている。図３において、収容部８内には、一対の検出スイッチ１２０，１２１が配置されている。検出スイッチ１２０，１２１は、シリンジ２００のシリンジ本体２０１が、収容部８内に正しく配置されているかどうかを検知して、制御部１００に通知する。
【００２３】
図３に示すクランプセンサとしてのポテンションメータ１２２は、クランプ５に連結されている。このポテンションメータ１２２は、シリンジ本体２０１をクランプ５によりクランプした状態で、クランプ５が図１のＹ２方向に関して移動する際のクランプ５の移動量を検出することで、どの収容量のシリンジ本体２０１がクランプ５によりクランプされているかどうかを、制御部１００に検出信号を送って通知する。制御部１００は、このポテンションメータ１２２からの検出信号によりクランプ５のＹ方向に関する移動量を得て、例えば図３に示す複数種類のシリンジ本体２０１の内のどの大きさのシリンジが装着されているかを判別することができる。
図３に示すシリンジ押子駆動部７のモータ１３３は、制御部１００の指令によりモータドライバ１３４により駆動されると、送りネジ１３５を回転させてスライダ１０をＴ方向に移動させる。これにより、スライダ１０は、シリンジ押子２０２をＴ方向に押圧して、図２に示すシリンジ本体２０１内の薬剤を、チューブ２０３を通じて患者Ｐに対して留置針２０４を介して正確に送液する。
【００２４】
図３において、表示部ドライバ１３０は、制御部１００の指令により表示部３を駆動して、各種情報や報知内容等を表示するようになっている。スピーカ１３１は、制御部１００の指令により各種の報知内容を音声により告知することができる。
制御部１００は、通信ポート１４０を通じて、例えばデスクトップコンピュータのようなコンピュータ１４１に対して双方向に通信可能である。このコンピュータ１４１は、薬剤データベース（ＤＢ）１５０に接続されており、薬剤データベース１５０に格納されている薬剤情報ＭＦは、コンピュータ１４１を介して、制御部１００に取得して、制御部１００の不揮発性メモリ１０３に記憶させることができる。制御部１００は、記憶した薬剤情報ＭＦを基にして、表示部３には薬剤情報ＭＦ等を表示することができる。
図３において、早送りスイッチボタン４Ｂ、開始スイッチボタン４Ｃ、停止スイッチボタン４Ｄ、メニュー選択ボタン４Ｅは、制御部１００に電気的に接続されている。
この他に、制御部１００には、図２に示す本体フランジ２０９が挿入されたことを検出するための検出器としてのフォトカプラセンサ２５０が、電気的に接続されている。このフォトカプラセンサ２５０は、発光素子２５１と、この発光素子２５１からの光を受光する受光素子２５２を有している。
【００２５】
次に、図４を参照して、本体ケース２のフロントカバー２Ｆはとリアカバー２Ｒの構造と、防沫および防滴（防水）処理構造について説明する。
図４は、フロントカバー２Ｆはとリアカバー２Ｒと、防沫および防滴（防水）処理構造としてのシール部材５００の構造例を示す分解斜視図である。
図４に示す本体ケース２は、フロントカバー２Ｆとリアカバー２Ｒを接合して組み立てることで構成されており、フロントカバー２Ｆの奥行寸法Ｇ１は、リアカバー２Ｒの奥行寸法Ｇ２に比べて大きい。図４に示すフロントカバー２Ｆは、回路要素と表示部の収容空間部４５０と、シリンジ押子駆動部７の収容空間部４５１を有している。収容空間部４５０の容量は、収容空間部４５１の容量よりも大きい。
【００２６】
図４に示すフロントカバー２Ｆの収容空間部４５０は、図３に例示するように、表示部３、制御部１００、モータ１３３、電源スイッチボタン４Ｓ、スイッチ１１１、電源コンバータ部１１２、バッテリ１１３、一対の検出スイッチ１２０，１２１、表示部ドライバ１３０、スピーカ１３１、通信ポート１４０、早送りスイッチボタン４Ｂ、開始スイッチボタン４Ｃ、停止スイッチボタン４Ｄ、メニュー選択ボタン４Ｅ等を収容している。
これに対して、図４に示すフロントカバー２Ｆの収容空間部４５１は、シリンジ押子駆動部７のスライダ１０と駆動軸１３５と蛇腹状のカバー１３６を収容している。
【００２７】
一方、図４に示すリアカバー２Ｒは、図３に示すバッテリ１１３を着脱可能に収容するバッテリ収容部１１９を有しており、このバッテリ収容部１１９は、カバー１１８により開閉可能になっている。この他に、リアカバー２Ｒは、シリンジポンプ１を例えば取り付け用のポール（図示せず）に対して着脱可能に固定するためのアタッチメント（図示せず）を固定する固定部（図示せず）を有している。
図４に示すリアカバー２Ｒは、フロントカバー２Ｆの収容空間部４５０の全部と、収容空間部４５１の一部分４５２を覆うことができる大きさを有している。したがって、収容空間部４５１の残部分４５３は、リアカバー２Ｒにより覆われていない。
【００２８】
図４に示すシール部材５００は、エンドレス状のパッキンであり、押し潰すことで弾性変形可能な材料、例えばシリコーンゴムや合成ゴム等を成形することで作られている。このシール部材５００は、フロントカバー２Ｆとリアカバー２Ｒを接合する際に重なり合う縁部分において挟み込むことで、フロントカバー２Ｆの収容空間部４５０の全部と、収容空間部４５１の一部分４５２と、リアカバー２Ｒの収容空間部４５４内を、液密状態にシールする機能を有する。
シール部材５００は、部分５０１，５０２，５０３，５０４，５０５，５０６を有している。部分５０１，５０３、５０５は平行であり、部分５０４，５０６は平行である。部分５０２は、部分５０１に対して斜めになっている。部分５０１，５０２，５０３，５０４，５０５，５０６は、それぞれフロントカバー２Ｆの密閉対象部分５５１，５５２，５５３，５５４，５５５，５５６に対応して装着される。部分５０１，５０２，５０３，５０４，５０５，５０６は、それぞれリアカバー２Ｒの密閉対象部分５７１，５７２，５７３，５７４，５７５，５７６に対応して装着される。
【００２９】
図５は、フロントカバー２Ｆの接合部分である密閉対象部分５５１，５５２，５５３，５５４，５５５，５５６とリアカバー２Ｒの接合部分である密閉対象部分５７１，５７２，５７３，５７４，５７５，５７６を、シール部材５００により液密状態に接合している例を示す断面図である。図５では、右側が本体ケース２の収容空間部４５０，４５１を示し、左側が本体ケース２の外側を示している。
フロントカバー２Ｆの密閉対象部分５５１，５５２，５５３，５５４，５５５，５５６は、凸部５８０と、この凸部５８０に連続して形成された凹型の収容部５８１を有している。この凹型の収容部５８１は、断面Ｌ字型である。これに対して、リアカバー２Ｒの密閉対象部分５７１，５７２，５７３，５７４，５７５，５７６は、凹部５９０と、凸部５９１を有している。この凸部５９１には、はめ込み穴部５９２が形成されている。
図５に示すように、シール部材５００は、好ましくはＵ字型もしくは日本のカタカナ文字のコ字型の断面形状を有している。シール部材５００は、第１部分５０１と、第２部分５０２と、接続部分５０３を有している。接続部分５０３の外面部５０５には、１つの突起部分５０４が形成されている。
【００３０】
フロントカバー２Ｆとリアカバー２Ｒが、シール部材５００を介して液密状態に接合されると、フロントカバー２Ｆの凸部５８０とリアカバー２Ｒの凹部５９０は、突き当てることで密着して接合される。フロントカバー２Ｆの収容部５８１とリアカバー２Ｒの凸部５９１の間には、シール部材５００の第１部分５０１と、接続部分５０３のほとんどの部分に対応する領域が、収容されている。第２部分５０２は、内側のカバーリブ２Ｎに収容される。カバーリブ２Ｎは、例えばフロントカバー２Ｒの内側に形成されている。突起部分５０４は、シール部材５００の長手方向５００Ｌ（図５の紙面垂直方向）に沿って全周に亙って連続して形成されている。この突起部分５０４は、リアカバー２Ｒのはめ込み穴部５９２にはめ込まれる部分である。リアカバー２Ｒのはめ込み穴部５９２も長手方向５００Ｌ（図５の紙面垂直方向）に沿って形成されている。
【００３１】
このように、フロントカバー２Ｆの凸部５８０とリアカバー２Ｒの凹部５９０が突き当てることで密接して接合される構造であるので、シール部材５００は矢印ＲＮ方向からは全く見えないようになっている。すなわち、シール材２は、フロントカバー２Ｆとリアカバー２Ｒの外側からは全く見えないように配慮されており、フロントカバー２Ｆとリアカバー２Ｒとの接合部分の外観上の見栄えを向上している。このように、シール部材５００の第１部分５０１が本体ケース２の接合部分の内部に配置されるので、シール部材５００は本体ケース２の外側からは全く見えず、外観上の見栄えを向上することができる。しかもシール部材５００は、本体ケース２の接合部分から本体ケース２内に薬剤や水分が確実に侵入するのを防ぐことができる。
なお、図５に示すこの突起部分５０４の高さ５０４Ｈと幅５０４Ｗの大きさの比率は、好ましくは１：１である。突起部分５０４の高さ５０４Ｈと幅５０４Ｗの大きさの比率を１：１とすることにより、突起部分５０４がリアカバー２Ｒのはめ込み穴部５９２内で押圧されても、突起部分５０４が倒れにくくなっている。
【００３２】
突起部分５０４がシール部材５００の長手方向５００Ｌに沿って形成され、しかもリアカバー２Ｒにはめ込み穴部５９２が長手方向５００Ｌに沿って形成されているのは、図５に示すように、フロントカバー２Ｆとリアカバー２Ｒの全幅ＭＷが、例えば３ｍｍ程度であり、フロントカバー２Ｆとリアカバー２Ｒがシール部材５００を機械的に潰すのに寄与する幅ＳＷが、例えば２ｍｍ程度と薄いためである。このようにフロントカバー２Ｆとリアカバー２Ｒの全幅ＭＷが比較的薄く設定されているのは、シリンジポンプ１の軽量化を図るためである。
このため、もし、突起部分５０４が形成されておらず、シール部材５００の接続部分５０３の外側面（底面）全体を、リアカバー２Ｒの凸部５９１に対して押し付けて潰して液密性能を得ようとすると、次の問題が生じる。すなわち、シール部材５００の接続部分５０３の外側面（底面）全体からの反発力が、薄いフロントカバー２Ｆとリアカバー２Ｒに対して機械的な負荷を与えてしまい、フロントカバー２Ｆとリアカバー２Ｒとの接合部分に機械的な変形を起こす可能性がある。しかも、フロントカバー２Ｆとリアカバー２Ｒの接合部分には、クラックが入る懸念や、ねじ止めしていないフロントカバー２Ｆとリアカバー２Ｒの接合部分には、隙間が生じるおそれもある。これらの場合には、フロントカバー２Ｆとリアカバー２Ｒの接合部分における薬剤や水分に対する液密性能を確保することができなくなってしまう。
【００３３】
このため、本発明の実施形態では、突起部分５０４をシール部材５００の長手方向５００Ｌに沿って形成して、リアカバー２Ｒ側のはめ込み穴部５９２にはめ込むことで、突起部分５０４とはめ込み穴部５９２のところで機械的に潰して液密性能を確保でき、突起部分５０４が倒れないようにして、確実にシール性能、すなわち液密性能を確保することができる。これにより、シール部材５００の接続部分５０３の外側面（底面）全体から薄いフロントカバー２Ｆとリアカバー２Ｒに対して機械的な負荷を与えてしまうことが無く、フロントカバー２Ｆとリアカバー２Ｒとの接合部分に機械的な変形を起こさない。しかも、フロントカバー２Ｆとリアカバー２Ｒの接合部分には、クラックの入る懸念が無く、ねじ止めしていないフロントカバー２Ｆとリアカバー２Ｒの接合部分に、隙間が生じる恐れも無くなる
【００３４】
なお、突起部分５０４の高さ５０４Ｈが大きすぎると、突起部分５０４がはめ込み穴部５９２に嵌った状態では突起部分５０４が倒れてしまい、シール性能を発揮できないおそれがある。また、突起部分５０４の高さ５０４Ｈが小さすぎると、シール材５００の製造時の公差のばらつきにより、シール材５００の潰し量が大きくなってしまい凸部５９１対する接続部分５０３の面圧が過剰になる部分ができる。従って、突起部分５０４の高さ５０４Ｈは、例えば０．６ｍｍが好ましい。
図５に示すフロントカバー２Ｆとリアカバー２Ｒの接合部分では、シール部材５００が介在されているので、ＲＮ方向に薬剤や水分のような液体が侵入しようとしても、フロントカバー２Ｆの凸部５９０とリアカバー２Ｒの凹部５８０が突き当てることで接合され、そして突起部分５０４をシール部材５００の長手方向５００Ｌに沿って形成して、リアカバー２Ｒ側のはめ込み穴部５９２にはまり込んでいるので、薬剤や水分のような液体がフロントカバー２Ｆとリアカバー２Ｒの内部に侵入することを確実に防止することができる。これにより、フロントカバー２Ｆとリアカバー２Ｒの内部に配置された上述した各要素、すなわち図３に例示する表示部３、制御部１００、モータ１３３等が、薬剤や水分等の侵入を受けるのを確実に阻止することができる。このため、シリンジポンプ１が動作停止したり、動作不良になる現象を無くすことができるので、薬剤の送液動作が停止してしまうといった不都合を無くすことができる。
【００３５】
次に、図６と図７を参照して、本発明の別の実施形態を説明する。
図６は、本発明の電子機器の一例である輸液ポンプの好ましい実施形態を示す斜視図である。図７は、図６に示す輸液ポンプをＷ方向から見た斜視図である。
図６と図７に示す輸液ポンプ１は、例えば集中治療室（ＩＣＵ、ＣＣＵ，ＮＩＣＵ）等で使用され、患者に対して、例えば抗がん剤、麻酔剤、化学療法剤、輸血等、栄養剤等の薬剤の注入処置を、高い精度で比較的長時間行うことに用いられる注入ポンプである。
【００３６】
図７に示すように、輸液ポンプ１００１は、薬剤１１７１を充填した薬剤バッグ１１７０から、クレンメ１１７９と輸液チューブ１２００と留置針１１７２を介して、患者Ｐに対して正確に送液することができる。図１と図２に示す輸液ポンプ１００１は、本体ケース１００２と取手１００２Ｔを有しており、取手１００２ＴはＮ方向に伸ばしたりＴ方向に収納したりすることができる。この本体ケース１００２は、本体ともいい、耐薬品性を有する成型樹脂材料により一体成型されており、仮に薬剤等がかかっても輸液ポンプ１００１の内部に侵入するのを防ぐことができる。このように、本体ケース１００２が防沫と防滴構造を有しているのは、上方に配置されている薬剤バッグ１１７０内の薬剤１１７１がこぼれ落ちたり、周辺で用いる消毒液等が飛散して付着することがあるためである。
【００３７】
輸液ポンプ１００１の本体ケース１００２に配置された要素について説明する。
図６と図７に示すように、本体ケース１００２の上部分１００２Ａには、表示部１００３と、操作パネル部１００４が配置されている。図７では、表示部１００３には、一例として薬剤投与の予定量（ｍＬ）の表示欄３Ｂ、薬剤投与の積算量（ｍＬ）の表示欄３Ｃ、充電履歴の表示欄３Ｄ、流量（ｍＬ）の表示欄３Ｅ等が表示されている。
操作パネル部１００４は、本体ケース１００２の上部分１００２Ａにおいて表示部１００３の右側に配置され、操作パネル部１００４には、操作ボタンとしては、図示例では、例えばパイロットランプ４Ａ、早送りスイッチボタン４Ｂ、開始スイッチボタン４Ｃ、停止スイッチボタン４Ｄ、メニュー選択ボタン４Ｅ等が配置されている。電源スイッチボタンは操作パネル部４とは別の位置に配置されている。
【００３８】
図６に示すように、本体ケース１００２の下部分１００２Ｂには、蓋部材としての開閉カバー１００５が回転軸１００５Ａを中心として、Ｒ方向に開閉可能に設けられている。開閉カバー１００５の内面側であって、下部分１００２Ｂのチューブ装着部１０５０には、例えば軟質塩化ビニル等の可撓性の熱可塑性樹脂製の輸液チューブ１２００をセットして、この開閉カバー１００５を閉じることで、輸液チューブ１２００はＸ方向に沿って水平にチューブ装着部１０５０に装着できるようになっている。
図７に示すように、開閉カバー１００５の表面には、好ましくは必要に応じて、輸液チューブ１２００をセットする際に、正しい送液方向であるＴ方向を明確に表示するための輸液チューブ設定方向表示部１１５０が設けられている。輸液チューブ設定方向表示部１１５０は、薬剤バッグ側を表示する薬剤バッグ表示部１１５１と、患者側を表示する患者側表示部１１５２と、薬剤の送液方向を明示する送液方向表示部１１５３を有する。
【００３９】
図７に示すように、薬剤バッグ表示部１１５１は、輸液チューブ１２００の薬剤バッグ１１７０側が開閉カバー１００５において向かって右側部分にくることを目視で確認するために配置され、患者側表示部１１５２は、輸液チューブ１２００の患者Ｐ側が開閉カバー１００５において向かって左側部分に位置されることを目視で確認するために配置されている。
そして、送液方向表示部１１５３は、開閉カバー１００５の内側にセットされた輸液チューブ１２００による薬剤１１７１の正しい方向の送液方向（Ｔ方向）を明示するために配置されており、薬剤バッグ表示部１１５１から患者側表示部１１５２に向かっているＴ方向に沿った矢印である。なお、図６と図７におけるＸ方向、Ｙ方向、Ｚ方向は互いに直交しており、Ｚ方向は上下方向である。Ｘ方向はＴ方向と平行であり輸液ポンプ１の左右方向で、Ｙ方向は輸液ポンプ１の前後方向である。
【００４０】
チューブ装着部１０５０は、表示部１００３と操作パネル部１００４の下部においてＸ方向に沿って設けられている。チューブ装着部１０５０は、図７に示すように開閉カバー１００５を、回転軸１００５Ａを中心としてＣＲ方向に閉じると開閉カバー１００５により覆うことができる。このように、医療従事者は、本体ケース１００２の上部分１００２Ａの表示部１００３の情報を確認しながら、チューブ装着部１０５０への輸液チューブ１２００の装着を行って、開閉カバー１００５を閉じることができる。そして、医療従事者は、本体ケース１００２の上部分１００２Ａの表示部１００３の情報を確認しながら、操作パネル部１００４の操作ボタンを操作することができる。
図７に示すように、本体ケース１００２は、破線で示すチューブ装着部１０５０と、気泡センサ１０５１と、上流閉塞センサ１０５２と、下流閉塞センサ１０５３と、右側位置の第１輸液チューブガイド部１０５４と左側位置の第２輸液チューブガイド部１０５５と、開閉カバー１００５を有している。チューブ装着部１０５０には、チューブクランプ部２７０が配置されている。
輸液ポンプ１００１は、本体あるいは筐体ともいう本体ケース１００２を有し、この本体ケース１００２は耐薬品性を有する成型樹脂材料により一体成型されており、フロントカバー１００２Ｆとリアカバー１００２Ｒを組み立てることにより構成されている。
【００４１】
次に、図８を参照して、フロントカバー１００２Ｆとリアカバー１００２Ｒの構造と、防沫および防滴（防水）処理構造について説明する。
図８は、フロントカバー１００２Ｆとリアカバー１００２Ｒと、防沫および防滴（防水）処理構造としてのシール部材１５００の構造例を示す分解斜視図である。
図１に示す本体ケース１００２は、第１ケース部分であるフロントカバー１００２Ｆと、第２ケース部分であるリアカバー１００２Ｒを組み立てることにより構成されている。フロントカバー１００２Ｆの奥行寸法Ｇ１は、リアカバー２Ｒの奥行寸法Ｇ２に比べて大きい。図８に示すフロントカバー１００２Ｆは、回路要素と表示部の収容空間部１４５０を有している。
図８に示すフロントカバー１００２Ｆの収容空間部１４５０は、図７に例示する表示部１００３、制御部（図示せず）、早送りスイッチボタン４Ｂ、開始スイッチボタン４Ｃ、停止スイッチボタン４Ｄ、メニュー選択ボタン４Ｅ等を収容している。
【００４２】
一方、図８に示すリアカバー２Ｒは、図３に示すバッテリ１１１３を着脱可能に収容するバッテリ収容部１１１９を有しており、このバッテリ収容部１１１９は、カバー１１１８により開閉可能になっている。この他に、リアカバー１００２Ｒは、輸液ポンプ１００１を例えばポール（図示せず）に対して着脱可能に固定するためのアタッチメント（図示せず）を固定する固定部（図示せず）を有している。リアカバー１００２Ｒは、フロントカバー１００２Ｆの収容空間部１４５０の全部を覆うことができる大きさを有している。
【００４３】
図８に示すシール部材１５００は、エンドレス状のパッキンであり、押し潰すことで弾性変形可能な材料、例えばシリコーンゴムや合成ゴム等を成形することで作られている。このシール部材１５００は、フロントカバー１００２Ｆとリアカバー１００２Ｒの重なり合う縁部分において挟み込むことで、フロントカバー１００２Ｆのフロントカバー１００２Ｆの収容空間部１４５０と、リアカバー２Ｒの収容空間部１４５４を液密状態にシールする機能を有する。
シール部材１５００は、部分１５０１，１５０２，１５０３，１５０４，１５０５，１５０６を有している。部分１５０１，１５０３、１５０５は平行であり、部分１５０４，１５０６は平行である。部分１５０２は、部分１５０１に対して傾斜している。部分１５０１，１５０２，１５０３，１５０４，１５０５，１５０６は、それぞれフロントカバー２Ｆの密閉対象部分１５５１，１５５２，１５５３，１５５４，１５５５，１５５６に対応して装着される。部分１５０１，１５０２，１５０３，１５０４，１５０５，１５０６は、それぞれリアカバー１００２Ｒの密閉対象部分１５７１，１５７２，１５７３，１５７４，１５７５，１５７６に対応して装着される。
【００４４】
図９は、フロントカバー１００２Ｆも接合部分である密閉対象部分１５５１，１５５２，１５５３，１５５４，１５５５，１５５６とリアカバー１００２Ｒの接合部分である密閉対象部分１５７１，１５７２，１５７３，１５７４，１５７５，１５７６を、シール部材１５００により液密状態に接合している状態の例を示す断面図である。図９では、右側が本体ケース１００２の収容空間部１４５０，１４５１を示し、左側が本体ケース２の外側を示している。
密閉対象部分１５５１，１５５２，１５５３，１５５４，１５５５，１５５６は、凸部１５８０と、この凸部１５８０に連続して形成された収容部１５８１を有している。この収容部１５８１は、断面Ｌ字型である。これに対して、密閉対象部分１５７１，１５７２，１５７３，１５７４，１５７５，１５７６は、凹部１５９０と、凸部１５９１を有している。この凸部１５９１には、はめ込み穴部1５９２が形成されている。
【００４５】
シール部材１５００は、好ましくは断面がＵ字型もしくはカタカナのコ字型を有している。シール部材１５００は、第１部分１５０１と、第２部分１５０２と、接続部分１５０３を有している。接続部分１５０３の外面部１５０５には、突起部分１５０４が形成されている。
フロントカバー１００２Ｆとリアカバー１００２Ｒが、シール部材１５００を介して接合されると、フロントカバー１００２Ｆの凸部１５９０とリアカバー１００２Ｒの凹部１５８０は、突き当てることで接合される。フロントカバー１００２Ｆの収容部１５８１とリアカバー２Ｒの凸部１５９１は、シール部材１５００の第１部分１５０１と、接続部分１５０３のほとんどの部分が、収容されている。第２部分１５０２は、カバーリブ１００２Ｎに収容される。突起部分１５０４は、シール部材１５００の長手方向１５００Ｌに沿って形成されている。この突起部分１５０４は、リアカバー１００２Ｒのはめ込み穴部１５９２にはめ込む部分である。
【００４６】
このように、フロントカバー１００２Ｆの凸部１５８０とリアカバー１００２Ｒの凹部１５９０が突き当てることで接合される構造であるので、シール部材１５００は矢印ＲＮ方向からは見えないようにしているので、フロントカバー１００２Ｆとリアカバー１００２Ｒとの接合部分の外観上の見栄えを向上している。
なお、図９に示すこの突起部分１５０４の高さ１５０４Ｈと幅１５０４Ｗの大きさの比率は、好ましくは１：１である。突起部分１５０４の高さ１５０４Ｈと幅１５０４Ｗの大きさの比率を１：１とすることにより、突起部分１５０４がリアカバー１００２Ｒのはめ込み穴部１５９２内で押圧されても、突起部分１５０４が倒れにくくなっている。
【００４７】
突起部分１５０４がシール部材１５００の長手方向１５００Ｌに沿って形成され、しかもリアカバー１００２Ｒにはめ込み穴部１５９２が長手方向１５００Ｌに沿って形成されているのは、図９に示すように、フロントカバー２Ｆとリアカバー２Ｒの全幅ＭＷが、例えば３ｍｍ程度であり、フロントカバー２Ｆとリアカバー２Ｒがシール部材５００を機械的に潰すのに寄与する幅ＳＷが、例えば２ｍｍ程度と薄いためである。このようにフロントカバー１００２Ｆとリアカバー１００２Ｒの全幅ＭＷが比較的薄く設定されているのは、輸液ポンプ１００１の軽量化を図るためである。
このため、もし、突起部分１５０４が形成されておらず、シール部材１５００の接続部分１５０３の外側面（底面）全体を、リアカバー１００２Ｒの凸部１５９１に対して押し付けて潰して液密性能を得ようとすると、次の問題が生じる。すなわち、シール部材１５００の接続部分１５０３の外側面（底面）全体からの反発力が、薄いフロントカバー１００２Ｆとリアカバー１００２Ｒに対して機械的な負荷を与えてしまい、フロントカバー１００２Ｆとリアカバー１００２Ｒとの接合部分に機械的な変形を起こす可能性がある。しかも、フロントカバー１００２Ｆとリアカバー１００２Ｒの接合部分には、クラックが入る懸念や、ねじ止めしていないフロントカバー１００２Ｆとリアカバー１００２Ｒの接合部分には、隙間が生じるおそれもある。これらの場合には、フロントカバー１００２Ｆとリアカバー１９９２Ｒの接合部分における薬剤や水分に対する液密性能を確保することができなくなってしまう。
【００４８】
なお、突起部分１５０４の高さ１５００Ｈが大きすぎると、突起部分１５０４がはめ込み穴部１５９２に嵌った状態で倒れてシール性能を発揮できないおそれがある。また、突起部分１５０４の高さ１５０４Ｈが小さすぎると、シール材１５００の交差ばらつきで潰し量が大きくなってしまう場合に、凸部１５９１に対する接続部分１５０３の面圧が過剰になる部分ができる。従って、突起部分５０４の高さ１５０４Ｈは例えば０．６ｍｍが好ましい。
図９に示すフロントカバー１００２Ｆとリアカバー１００２Ｒの接合部分では、シール部材１５００が介在されているので、ＲＮ方向に薬剤や水分が侵入しようとしても、フロントカバー１００２Ｆの凸部１５９０とリアカバー１００２Ｒの凹部１５８０が突き当てることで接合され、突起部分１５０４をシール部材１０５００の長手方向１５００Ｌに沿って全周に亙って連続して形成して、リアカバー１００２Ｒ側のはめ込み穴部５９２にはまり込んでいるので、薬剤や水分がフロントカバー１００２Ｆとリアカバー１００２Ｒの内部に侵入することを確実に防止することができる。
【００４９】
これにより、フロントカバー１００２Ｆとリアカバー１００２Ｒの内部に配置された上述した各要素、すなわち表示部１００３、制御部、表示部ドライバ、スピーカ、通信ポート、早送りスイッチボタン４Ｂ、開始スイッチボタン４Ｃ、停止スイッチボタン４Ｄ、メニュー選択ボタン４Ｅや、バッテリ等が、薬剤や水分等の侵入から確実に守ることができる。このため、輸液ポンプ１００１が動作停止したり、動作不良になる現象を無くすことができるので、薬剤の送液動作が停止してしまうといった不都合を無くすことができる。
上述した本発明の電子機器では、シール部材の第１部分が本体ケースの前記接合部分の内部に配置されるので、シール部材は本体ケースの外側からは全く見えず、外観上の見栄えを向上することができ、しかもシール部材は、本体ケースの接合部分から本体ケース内に薬剤や水分が侵入するのを防ぐことができる。
【００５０】
本発明は、上記実施形態に限定されず、特許請求の範囲を逸脱しない範囲で種々の変更を行うことができる。上記実施形態の各構成は、その一部を省略したり、上記とは異なるように任意に組み合わせることができる。
上述した本発明の実施形態としては、電子機器の例として薬液や水分の使用環境下で用いられる医用ポンプであるシリンジポンプや輸液ポンプを挙げたが、これに限らず、本発明の電子機器としては、ほかの分野の電子機器、例えば測量器、デジタルカメラ、携帯端末等が対象となる。
【符号の説明】
【００５１】
１・・・シリンジポンプ（電子機器の一例）、２，１００２・・・本体ケース、２Ｆ・、１００２Ｆ・・フロントカバー、２Ｒ、１００２Ｒ・・・リアカバー、５００，１５００・・・シール部材、５０１，１５０１・・・シール部材の第１部分、５０２，１５０２・・・シール部材の第２部分、５０３，１５０３・・・シール部材の接続部分、５０４，１５０４・・・突起部分、５５１，５５２，５５３，５５４，５５５，５５６・・・フロントカバーの密閉対象部分（接合部分）、５７１，５７２，５７３，５７４，５７５，５７６・・・リアカバーの密閉対象部分（接合部分）、５９２，１５９２・・・はめ込み穴部、１００１・・・輸液ポンプ（電子機器の一例）
【図１】
2013070879.tif 000003
【図２】
2013070879.tif 000004
【図３】
2013070879.tif 000005
【図４】
2013070879.tif 000006
【図５】
2013070879.tif 000007
【図６】
2013070879.tif 000008
【図７】
2013070879.tif 000009
【図８】
2013070879.tif 000010
【図９】
2013070879.tif 000011